(57)【要約】【課題】  電源保護機能を担保しつつ、縦続接続されるケーブル体のうちのいずれかに接続された外部電源装置から供給される電力が、他のケーブル体にも供給されるようになるケーブル体を提供すること。【解決手段】  電力供給路と信号伝送路とを含むケーブル体（１０）において、当該ケーブル体（１０）の両端に、電力供給路のホット側に接続される電力供給用端子（１３，２９）と、電力供給路のコールド側に接続される電力供給用端子（１６，３２）と、を少なくとも含むプラグ部（１１，２８）を設け、電力供給路のホット側及びコールド側のうち、信号伝送路のコールド側と電位を同じくする方に接続される電力供給用端子（１６，３２）は、ダイオード（１７，２７）を介して当該電力供給路に接続させる。【選択図】        図１
2005322497.tif 000002
【特許請求の範囲】
【請求項１】
電力供給路と信号伝送路とを含み、信号伝送とともに電力供給可能なケーブル体において、
当該ケーブル体の両端に、前記電力供給路のホット側に接続される電力供給用端子と、前記電力供給路のコールド側に接続される電力供給用端子と、を少なくとも含むプラグ部を備え、
前記電力供給路のホット側及びコールド側のうち、前記信号伝送路のコールド側と電位を同じくする方に接続される電力供給用端子は、ダイオードを介して当該電力供給路に接続される、
ことを特徴とするケーブル体。
【請求項２】
請求項１に記載のケーブル体において、
当該ケーブル体の両端に備えられる前記プラグ部の少なくとも一方は、電力供給を要する回路部をさらに含み、
前記回路部に対する電力供給は前記電力供給路を介して行われる、
ことを特徴とするケーブル体。
【請求項３】
請求項２に記載のケーブル体において、
当該ケーブル体の両端に備えられる前記プラグ部は、前記信号伝送路のホット側に接続される信号伝送端子をさらに含み、
当該ケーブル体の両端に備えられる一方の前記プラグ部は、電気信号を光信号に変換するための電光変換部を前記回路部として含み、当該ケーブル体の両端に備えられる他方の前記プラグ部は、光信号を電気信号に変換するための光電変換部を前記回路部として含み、
前記信号伝送路は、前記一方のプラグ部に含まれる前記信号伝送端子と前記電光変換部とを接続してなるメタルケーブルと、前記電光変換部と前記光電変換部とを接続してなる光ケーブルと、前記他方のプラグ部に含まれる前記信号伝送端子と前記光電変換部とを接続してなるメタルケーブルと、を含んで構成される、
ことを特徴とするケーブル体。
【請求項４】
請求項１乃至３のいずれか１項に記載のケーブル体を縦続接続してなる、電力供給を伴う伝送路の縦続接続方式。
【発明の詳細な説明】
【技術分野】
【０００１】
本発明はケーブル体及び電力供給を伴う伝送路の縦続接続方式に関する。
【背景技術】
【０００２】
電力供給を伴う伝送路を縦続接続してなる通信システムが知られている。かかる通信システムとしては、例えば図４に示すような光ケーブル体５０を縦続接続してなる光通信システムが知られている。
【０００３】
同図に示すように、この光ケーブル体５０は、ケーブル本体部５９と、当該ケーブル本体部５９の両端に装着される入力プラグ部５１及び出力プラグ部６３と、を含んで構成される。ケーブル本体部５９は、光信号伝達（データ伝送）のための光ケーブル６０と、電力供給のためのメタルケーブル６１及び６２とを含んで構成される。
【０００４】
入力プラグ部５１は入力端子部５２と光信号送信部５７とを含んで構成される。入力端子部５２には＋Ｂ端子５３とＩＮ端子５４とＧＮＤ端子５５とが設けられる。光信号送信部５７は、Ｅ／Ｏ部（電光変換部）５８を含んで構成され、ＩＮ端子５４から入力される電気信号を光信号に変換して送信する。
【０００５】
出力プラグ部６３は、光信号受信部６４と出力端子部６７とを含んで構成される。光信号受信部６４は、Ｏ／Ｅ部（光電変換部）６５を含んで構成され、光ケーブル６０を介して伝達される光信号を電気信号に変換する。出力端子部６７には＋Ｂ端子６８とＯＵＴ端子６９とＧＮＤ端子７０とが設けられる。光信号受信部６４によって光信号から変換された電気信号はＯＵＴ端子６９から出力される。
【０００６】
光ケーブル体５０では、例えば入力端子部５２の＋Ｂ端子５３及びＧＮＤ端子５５に外部電源装置が接続される場合、光信号送信部５７に電力が供給されるとともに、メタルケーブル６１及び６２を介して光信号受信部６４にも電力が供給されるようになっている。同様に、出力端子部６７の＋Ｂ端子６８及びＧＮＤ端子７０に外部電源装置が接続される場合、光信号受信部６４に電力が供給されるとともに、メタルケーブル６１及び６２を介して光信号送信部５７にも電力が供給されるようになっている。このように、光ケーブル体５０では、入力端子部５２又は出力端子部６７のいずれかに外部電源装置が接続されることによって、光信号送信部５７及び光信号受信部６４のいずれに対しても電力が供給されるようになっている。
【０００７】
また、光ケーブル体５０では、入力端子部５２の＋Ｂ端子５３はダイオード５６を介してメタルケーブル６１に接続されている。＋Ｂ端子５３にはダイオード５６のアノード側が接続されており、かかるダイオード５６の存在によって、出力端子部６７側から供給される電力が入力端子部５２には伝わらないようになっている。同様に、出力端子部６７の＋Ｂ端子６８はダイオード６６を介してメタルケーブル６１に接続されている。＋Ｂ端子６８にはダイオード６６のアノード側が接続されており、かかるダイオード６６の存在によって、入力端子部５２側から供給される電力が出力端子部６７には伝わらないようになっている。このように、光ケーブル体５０では電源保護機能が設けられており、入力端子部５２及び出力端子部６７のそれぞれに外部電源装置が接続されたとしても、光ケーブル体５０が不具合を起こさないようになっている。
【発明の開示】
【発明が解決しようとする課題】
【０００８】
しかしながら、以上のような光ケーブル体５０を、例えば図５に示すように複数（同図の例では２つ）縦続接続させて、送信側装置４０と受信側装置４１とを繋ぐような場合には次のような問題があった。例えば、同図に示すように光ケーブル体５０ｂの出力プラグ部６７ｂに外部電源装置４２を接続した場合、当該光ケーブル体５０ｂの光信号送信部５７ｂ及び光信号受信部６４ｂにはその電力が供給されるものの、ダイオード５６ｂの存在によって、光ケーブル体５０ａ側にはその電力が供給されなかった。このため、光ケーブル体５０ａの光信号送信部５７ａ及び光信号受信部６４ａに電力を供給するために、入力端子５２ａ又は出力端子６７ａに外部電源装置４２をさらに接続しなければならなかった。
【０００９】
このように、従来の光ケーブル体５０では、これを縦続接続させて用いる場合、一の光ケーブル体５０に接続された外部電源装置から供給される電力が、他のケーブル体５０に供給されるようになっていなかった。
【００１０】
本発明は上記課題に鑑みてなされたものであって、その目的の一つは、電源保護機能を担保しつつ、縦続接続されるケーブル体のうちのいずれかに接続された外部電源装置から供給される電力が、他のケーブル体にも供給されるようになるケーブル体及び電力供給を伴う伝送路の縦続接続方式を提供することにある。
【課題を解決するための手段】
【００１１】
上記課題を解決するために、本発明に係るケーブル体は、電力供給路と信号伝送路とを含み、信号伝送とともに電力供給可能なケーブル体において、当該ケーブル体の両端に、前記電力供給路のホット側に接続される電力供給用端子と、前記電力供給路のコールド側に接続される電力供給用端子と、を少なくとも含むプラグ部を備え、前記電力供給路のホット側及びコールド側のうち、前記信号伝送路のコールド側と電位を同じくする方に接続される電力供給用端子は、ダイオードを介して当該電力供給路に接続される。
【００１２】
本発明に係るケーブル体によれば、電源保護機能を担保しつつ、これを縦続接続させて用いる場合、一の光ケーブル体に接続された外部電源装置から供給される電力が、他のケーブル体に供給されるようになる。
【００１３】
また、本発明の一態様では、当該ケーブル体の両端に備えられる前記プラグ部の少なくとも一方は、電力供給を要する回路部をさらに含み、前記回路部に対する電力供給は前記電力供給路を介して行われるようにしてもよい。かかるケーブル体によれば、これを縦続接続させて用いる場合、一の光ケーブル体に接続された外部電源装置から供給される電力が、他のケーブル体の回路部に供給されるようになる。
【００１４】
この態様では、当該ケーブル体の両端に備えられる前記プラグ部は、前記信号伝送路のホット側に接続される信号伝送端子をさらに含み、当該ケーブル体の両端に備えられる一方の前記プラグ部は、電気信号を光信号に変換するための電光変換部を前記回路部として含み、当該ケーブル体の両端に備えられる他方の前記プラグ部は、光信号を電気信号に変換するための光電変換部を前記回路部として含み、前記信号伝送路は、前記一方のプラグ部に含まれる前記信号伝送端子と前記電光変換部とを接続してなるメタルケーブルと、前記電光変換部と前記光電変換部とを接続してなる光ケーブルと、前記他方のプラグ部に含まれる前記信号伝送端子と前記光電変換部とを接続してなるメタルケーブルと、を含んで構成されるようにしてもよい。かかるケーブル体によれば、光信号の伝送が可能になるとともに、これを縦続接続させて用いる場合、一の光ケーブル体に接続された外部電源装置から供給される電力が、他のケーブル体の電光変換部及び光電変換部に供給されるようになる。
【００１５】
また、本発明に係る電力供給を伴う伝送路の縦続接続方式は、請求項１乃至３のいずれか１項に記載のケーブル体を縦続接続してなる、電力供給を伴う伝送路の縦続接続方式である。こうすれば、電力供給を伴う伝送路の縦続接続方式を好適に実現できるようになる。
【発明を実施するための最良の形態】
【００１６】
以下、本発明の好適な実施形態の一例について図面に基づき詳細に説明する。
【００１７】
図１は、本発明の実施形態に係る光ケーブル体１０を示す図である。光ケーブル体１０は電力供給路と信号伝送路とを含み、信号伝送とともに電力供給を可能に構成されている。以下、かかる光ケーブル体１０について詳細に説明する。
【００１８】
同図に示すように、本実施の形態に係る光ケーブル体１０は、ケーブル本体部２０と入力プラグ部１１と出力プラグ部２４とを含んで構成される。ケーブル本体部２０の両端の一方に入力プラグ部１１が備えられ、他方に出力プラグ部２４が備えられる。
【００１９】
ケーブル本体部２０は、光ケーブル２１と、メタルケーブル２２及び２３とを含んで構成される。光ケーブル２１は公知の光ファイバケーブルであり、光信号の伝達（データ伝送）に供される。メタルケーブル２２及び２３は公知のメタルケーブルであり、電力の供給に供される。
【００２０】
入力プラグ部１２と出力プラグ部２８とは嵌合可能に形成される。より具体的には、入力プラグ部１２と出力プラグ部２８とが嵌合された場合に、入力端子部１２の＋Ｂ端子１３と出力端子部２８の＋Ｂ端子２９とが、ＩＮ端子１４とＯＵＴ端子３０とが、Ｇ端子１５とＧ端子３１とが、ＧＮＤ端子１６とＧＮＤ端子３２とがそれぞれ接続されるようになっている。このように、光ケーブル体１０は、一の光ケーブル体１０の出力プラグ部２８を他の光ケーブル体１０の入力プラグ１２に嵌合することによって、複数の光ケーブル体１０を縦続接続できるように構成されている。
【００２１】
入力プラグ部１１は入力端子部１２と光信号送信部１８（回路部）とを含んで構成される。入力端子部１２には＋Ｂ端子１３とＩＮ端子１４とＧ端子１５とＧＮＤ端子１６とが設けられる。＋Ｂ端子１３及びＧＮＤ端子１６は電力の供給に供される端子（電力供給用端子）である。入力プラグ部１１内において、＋Ｂ端子１３はメタルケーブル２２に接続され、ＧＮＤ端子１６は電源保護のためのダイオード１７を介して接地されている。ＩＮ端子１４及びＧ端子１５は電気信号の入力に供される端子（信号伝送端子）である。入力プラグ部１１内において、ＩＮ端子１４はメタルケーブルを介して光信号送信部３０に接続されており、Ｇ端子１５は接地されている。
【００２２】
光信号送信部１８はＥ／Ｏ部（電光変換部）１９を含んで構成される。Ｅ／Ｏ部１９は、発光ダイオード等からなる電光変換素子と、当該電光変換素子を駆動するためのＩＣとを含んで構成され、ＩＮ端子１４から入力された電気信号を光信号に変換する。光信号送信部１８の正極側はメタルケーブル２２に接続され、負極側は接地されており、電光変換素子等を駆動するための電源がこれらを介して供給されるようになっている。Ｅ／Ｏ部１９によって電気信号から変換された光信号は、光ケーブル２１に供給され、光信号受信部２５に伝達される。なお、光信号送信部１８は増幅器を含むようにしてもよい。例えば、ＩＮ端子１４から入力された電気信号を増幅器によって増幅した後に、Ｅ／Ｏ部１９に供給するようにしてもよい。
【００２３】
出力プラグ部２４は光信号受信部２５（回路部）と出力端子部２８とを含んで構成される。光信号受信部２５はＯ／Ｅ部（光電変換部）２６を含んで構成される。Ｏ／Ｅ部２６は、光電変換素子（受光素子）と、当該光電変換素子を駆動するためのＩＣとを含んで構成され、光ケーブル２１を介して伝達される光信号を受光し、これを電気信号に変換する。光信号受信部２５の正極側はメタルケーブル２２に接続され、負極側は接地されており、光電変換素子等を駆動するための電源がこれらを介して供給されるようになっている。Ｏ／Ｅ部２６によって光信号から変換された電気信号は、出力プラグ部２８のＯＵＴ端子３０から出力される。なお、光信号受信部２５は増幅器を含むようにしてもよい。例えば、Ｏ／Ｅ部２６によって光信号から変換された電気信号を増幅器によって増幅した後に、ＯＵＴ端子３０から出力するようにしてもよい。
【００２４】
このように、光ケーブル体１０では、ＩＮ端子１４と光信号送信部１８とを接続してなるメタルケーブルと、光ケーブル２１と、光信号受信部２５とＯＵＴ端子３０とを接続してなるメタルケーブルとを主として信号伝送路が構成されている。そして、ＩＮ端子１４から入力された電気信号が、この信号伝送路を介してＯＵＴ端子３０から出力されるようになっている。
【００２５】
出力端子部２８は、＋Ｂ端子２９とＯＵＴ端子３０とＧ端子３１とＧＮＤ端子３２とを備えている。＋Ｂ端子２９及びＧＮＤ端子３２は電力の供給に供される端子（電力供給用端子）である。出力プラグ部２８内において、＋Ｂ端子２９はメタルケーブル２２に接続されており、ＧＮＤ端子３２は電源保護のためのダイオード２７を介して接地されている。ＯＵＴ端子３０及びＧ端子３１は電気信号の出力に供される端子（信号伝送端子）である。出力プラグ部２８内において、ＯＵＴ端子３０はメタルケーブルを介して光信号受信部２５に接続されており、Ｇ端子３１は接地されている。
【００２６】
光ケーブル体１０では、例えば入力端子部１２に外部電源装置が接続された場合、光信号送信部１８にその電源が供給されるとともに、メタルケーブル２２及び２３を介して光信号受信部２５にもその電源が供給されるようになっている。同様に、出力端子部２８に外部電源装置が接続された場合、光信号受信部２５にその電源が供給されるとともに、メタルケーブル２２及び２３を介して光信号送信部１８にもその電源が供給されるようになっている。なお、入力端子部１２又は出力端子部２８に外部電源装置が接続される場合には、＋Ｂ端子１３又は＋Ｂ端子２９に外部電源装置の正極が接続される。ＧＮＤ端子１６又はＧＮＤ端子３２に外部電源装置の負極が接続される。
【００２７】
このように、光ケーブル体１０では、メタルケーブル２２及び２３と、ＧＮＤ端子１６及び３２を接地するメタルケーブルとを主として電力供給路が構成されている。このため、従来の光ケーブル体５０（図４参照）と同様に、入力端子部１２又は出力端子部２８のいずれかに外部電源装置が接続されることによって、光信号送信部１８及び光信号受信部２５のいずれにも電源が供給されるようになっている。
【００２８】
また、光ケーブル体１０では、従来の光ケーブル体５０（図４参照）と同様に、電源保護機能が実現されている。ただし、光ケーブル体１０では従来の光ケーブル体５０とは異なり、電力供給路のホット側とコールド側のうち、信号伝送路のコールド側と電位を同じくする方に接続される端子と、当該電力伝送路（電力供給路のホット側とコールド側のうち、信号伝送路のコールド側と電位を同じくする方）との間にダイオードを挿入することによって、電源保護機能を実現するようになっている。
【００２９】
入力プラグ部１１内では、ＧＮＤ端子１６がダイオード１７を介して接地されている。すなわち、電力供給路のコールド側（信号伝送路のコールド側と電位を同じくする側）に接続されるＧＮＤ端子１６と、電力供給路のコールド側との間にダイオード１７が挿入されている。このダイオード１７はカソード側がＧＮＤ端子１６に接続されるようにして挿入されている。このダイオード１７の存在によって、出力端子部２８から供給された電源が入力端子部１２には伝わらないようになっている。
【００３０】
同様に、出力プラグ部２８内では、ＧＮＤ端子３２がダイオード２７を介して接地されている。すなわち、電力供給路のコールド側（信号伝送路のコールド側と電位を同じくする側）に接続されるＧＮＤ端子３２と、電力供給路のコールド側との間にダイオード２７が挿入されている。このダイオード２７はカソード側がＧＮＤ端子３２に接続されるようにして挿入されている。このダイオード２７の存在によって、入力端子部１２から供給された電源が出力端子部２８には伝わらないようになっている。
【００３１】
以上のようにダイオード１７及び２７が挿入されることによって、入力端子部１２及び出力端子部２８のそれぞれに外部電源装置が接続された場合においても、すなわち入力端子部１２及び出力端子部２８から同時に電源供給が行われる場合においても、光ケーブル体１０が不具合を起こさないようになっている。
【００３２】
以上に説明した光ケーブル体１０を縦続接続させて用いる場合、従来の光ケーブル体５０を縦続接続させる場合とは異なり、一の光ケーブル体１０に外部電源装置が接続されると、かかる外部電源装置から供給される電源が他の光ケーブル体１０に対しても供給されるようになる。以下、この点について詳細に説明する。
【００３３】
図２は、本実施の形態に係る光ケーブル体１０ａ及び１０ｂを縦続接続させて、送信側装置４０と受信側装置４１との間を通信接続させてなる光通信システム（電力供給を伴う伝送路の縦続接続方式）を示している。送信側装置４０は例えば公知のデータ送信装置であり、受信側装置４１に対し所定のデータを送信する。受信側装置４１は例えば公知のデータ受信装置であり、送信側装置４０から送信されたデータを受信し、そのデータに基づく処理を実行する。
【００３４】
同図に示すように、送信側装置４０には光ケーブル体１０ａの入力端子部１２ａが接続されている。例えば、入力端子部１２ａは送信側装置４０の回路基板に直接接続される。或いは、送信側装置４０と入力端子部１２ａとは、例えば同軸ケーブルを介して接続されるようにしてもよい。この場合、同軸ケーブルの中心導体（芯線）をＩＮ端子１４ａに接続し、同軸ケーブルの外部導体（網状の銅線）をＧ端子１５ａに接続するようにすればよい。
【００３５】
また、光ケーブル体１０ａの出力端子部２８ａには光ケーブル体１０ｂの入力端子部１２ｂが接続されている。同図に示すように、＋Ｂ端子２９ａと＋Ｂ端子１３ｂとが、ＯＵＴ端子３０ａとＩＮ端子１４ｂとが、Ｇ端子３１ａとＧ端子１５ｂとが、ＧＮＤ端子３２ａとＧＮＤ端子１６ｂとがそれぞれ接続されている。
【００３６】
また、光ケーブル体１０ｂの出力端子部２８ｂには受信側装置４１が接続されている。例えば、出力端子部２８ｂは受信側装置４１の回路基板に直接接続される。或いは、受信側装置４１と出力端子部２８ｂとは、例えば同軸ケーブルを介して接続されるようにしてもよい。この場合、同軸ケーブルの中心導体をＯＵＴ端子３０ｂに接続し、外部導体をＧ端子３１ｂに接続するようにすればよい。
【００３７】
さらに、光ケーブル体１０ｂの出力端子部２８ｂには外部電源装置４２が接続されている。＋Ｂ端子２９ｂには外部電源装置４２の正極端子が接続され、ＧＮＤ端子３２ｂには外部電源装置４２の負極端子が接続されている。なお、外部電源装置４２は光ケーブル体１０ａの入力端子部１２ａや出力端子２８ａに接続するようにしてもよい。
【００３８】
以上のように構成された光通信システムでは、図１において説明したように、光ケーブル体１０ｂの光信号送信部１８ｂ及び光信号受信部２５ｂに外部電源装置４２から電源が供給される。また、光ケーブル体１０ａの光信号送信部１８ａ及び光信号受信部２５ａに対しても外部電源装置４２から電源が供給されるようになっている。光ケーブル体１０ａ及び１０ｂの接続において、ＧＮＤ端子３２ａとＧＮＤ端子１６ｂとの接続部分ではダイオード２７ａとダイオード１７ｂとが逆方向に接続されるため、かかる接続を介して、光ケーブル体１０ａに対する電源供給が行われることはない。しかしながら、Ｇ端子３１ａとＧ端子１５ｂとの接続を介して、光信号送信部１８ａ及び光信号受信部２５ａを駆動するための電源が光ケーブル体１０ｂ側から供給されるようになっている。
【００３９】
以上説明したように、光ケーブル体１０によれば、これを縦続接続させて用いる場合において、電源保護機能を担保しつつ、一の光ケーブル体１０の入力プラグ部１２又は出力プラグ２８に接続された外部電源装置から他の光ケーブル体１０に対して電源が供給されるようにすることができるようになる。光ケーブル体１０を用いれば、電力供給を伴う伝送路の縦続接続方式を好適に実現できるようになる。
【００４０】
なお、本発明は以上説明した実施の形態に限定されるものではない。
【００４１】
例えば、以上ではケーブル本体部２０において信号伝送媒体として光ケーブル２１を用いることとしたが、かかる信号伝送媒体は光ケーブル２１に限られない。かかる信号媒体媒体として、例えば同軸ケーブルを用いるようにしてもよい。
【００４２】
また例えば、図２において、外部電源装置４２から供給される電源が、送信側装置４０や受信側装置４２に対して供給されるようにしてもよい。
【００４３】
また例えば、図２において、光ケーブル体１０ｂの出力端子部１２ｂに外部電源装置４２を接続するとともに、光ケーブル体１０ａの入力端子部１２ａに他の外部電源装置４２を接続するようにしてもよい。すなわち、縦続接続される光ケーブル体１０のうちの複数について、その入力端子部１２又は出力端子部２８にそれぞれ外部電源装置４２を接続するようにしてもよい。こうすれば、一の外部電源装置４２に不具合が発生した場合であっても、他の外部電源装置４２による電源供給が、縦続接続された光ケーブル体１０に対し行われることになり、光通信システム（電力供給を伴う伝送路の縦続接続方式）に冗長性を与えることができるようになる。
【００４４】
また、以上では光ケーブル体１０の説明をマイナス接地を前提として進めたが、本発明はプラス接地を前提とする場合にも適用することができる。図３は、プラス接地を前提とする場合の光ケーブル体１０を示している。同図に示すように、入力プラグ部内１８では、＋Ｂ端子１３、メタルケーブル２２及び光信号送信部１８の正極側が接地され、ＧＮＤ端子１６及び光信号送信部１８の負極側がメタルケーブル２３に接続される。同様に、出力プラグ部２５内では、＋Ｂ端子２９及び光信号受信部２５の正極側が接地され、ＧＮＤ端子３２及び光信号受信部２５の負極側がメタルケーブル２３に接続される。
【００４５】
プラス接地を前提とする場合においても、マイナス接地を前提とする場合と同様に、電力供給路のホット側及びコールド側のうち、信号伝送路のコールド側と電位を同じくする方に接続されている端子と、当該電力供給路（電力供給路のホット側及びコールド側のうち、信号伝送路のコールド側と電位を同じくする方）との間に電源保護用のダイオードを挿入するようにすればよい。
【００４６】
同図に示すように、入力プラグ部１１内において、電力供給路のホット側（信号伝送路のコールド側と電位を同じくする側）に接続される＋Ｂ端子１３はダイオード１７を介して接地されている。このダイオード１７はアノード側が＋Ｂ端子１３に接続されている。同様に、出力プラグ部２８内において、電力供給路のホット側に接続される＋Ｂ端子２９はダイオード２７を介して接地されている。このダイオード２７はアノード側が＋Ｂ端子２９に接続されている。
【図面の簡単な説明】
【００４７】
【図１】本発明の実施形態に係る光ケーブル体の構成図である。
【図２】本発明の実施形態に係る光ケーブル体を縦続接続してなる光通信システムの構成図である。
【図３】本発明の他の実施形態に係る光ケーブル体の構成図である。
【図４】従来の光ケーブル体の構成図である。
【図５】従来の光ケーブル体を縦続接続してなる光通信システムの構成図である。
【符号の説明】
【００４８】
１０，１０ａ，１０ｂ，５０，５０ａ，５０ｂ  光ケーブル体、１１，１１ａ，１１ｂ，５１，５１ａ，５１ｂ  入力プラグ部、１２，１２ａ，１２ｂ，５２，５２ａ，５２ｂ  入力端子部、１３，１３ａ，１３ｂ，２９，２９ａ，２９ｂ，５３，５３ａ，５３ｂ，６８，６８ａ，６８ｂ  ＋Ｂ端子、１４，１４ａ，１４ｂ，５４，５４ａ，５４ｂ  ＩＮ端子、１５，１５ａ，１５ｂ，３１，３１ａ，３１ｂ  Ｇ端子、１６，１６ａ，１６ｂ，３２，３２ａ，３２ｂ，５５，５５ａ，５５ｂ，７０，７０ａ，７０ｂ  ＧＮＤ端子、１７，１７ａ，１７ｂ，２７，２７ａ，２７ｂ，５６，５６ａ，５６ｂ，６６，６６ａ，６６ｂ  ダイオード、１８，１８ａ，１８ｂ，５７，５７ａ，５７ｂ  光信号送信部、１９，１９ａ，１９ｂ，５８，５８ａ，５８ｂ  Ｅ／Ｏ部、２０，２０ａ，２０ｂ，５９，５９ａ，５９ｂ  ケーブル本体部、２１，２１ａ，２１ｂ，６０，６０ａ，６０ｂ  光ケーブル、２２，２２ａ，２２ｂ，２３，２３ａ，２３ｂ，６１，６１ａ，６１ｂ，６２，６２ａ，６２ｂ  メタルケーブル、２４，２４ａ，２４ｂ，６３，６３ａ，６３ｂ  出力プラグ部、２５，２５ａ，２５ｂ，６４，６４ａ，６４ｂ  光信号受信部、２６，２６ａ，２６ｂ，６５，６５ａ，６５ｂ  Ｏ／Ｅ部、２８，２８ａ，２８ｂ，６７，６７ａ，６７ｂ  出力端子部、３０，３０ａ，３０ｂ，６９，６９ａ，６９ｂ  ＯＵＴ端子、４０  送信側装置、４１  受信側装置、４２  外部電源装置。
【図１】
2005322497.tif 000003
【図２】
2005322497.tif 000004
【図３】
2005322497.tif 000005
【図４】
2005322497.tif 000006
【図５】
2005322497.tif 000007